(57)【要約】【課題】メインの大容量チャンネルの伝送方向とは逆方向に信号を高速に伝送する。【解決手段】第１の送信部は、クロック成分を含む第１の信号を差動信号として伝送路を介して外部機器に送信する。第２の送信部は、クロック成分を含む第２の信号を同相信号として伝送路に重畳して前記外部機器に送信する。状態通知部は、伝送路に含まれる一対の差動伝送路を介して外部機器と通信を行って、一対の差動伝送路のうち少なくとも一方の直流バイアス電位によって外部機器へ自装置の接続状態を通知する。【選択図】図３
2019126074.tif 000002
【特許請求の範囲】
【請求項１】
クロック成分を含む第１の信号を差動信号として伝送路を介して外部機器に送信する第１の送信部と、
クロック成分を含む第２の信号を同相信号として前記伝送路に重畳して前記外部機器に送信する第２の送信部と、
前記伝送路に含まれる一対の差動伝送路を介して前記外部機器と通信を行って、前記一対の差動伝送路のうち少なくとも一方の直流バイアス電位によって前記外部機器へ自装置の接続状態を通知する状態通知部と
を具備するインターフェース回路。
【請求項２】
前記第１の信号は、オーディオ信号である請求項１記載のインターフェース回路。
【請求項３】
前記第１の信号を暗号化および復号するためのやりとりを前記伝送路とは異なる第２の伝送路を介して前記外部機器と行う通信部をさらに具備する請求項１記載のインターフェース回路。
【請求項４】
前記伝送路はＨＤＭＩケーブルを構成するユーティリティラインおよびホットプラグ検出ラインであり、
前記第２の伝送路はＨＤＭＩケーブルを構成するディスプレイデータチャネルである
請求項３記載のインターフェース回路。
【請求項５】
クロック成分を含む第１の信号を差動信号として伝送路を介して外部機器に送信する第１の送信部と、
前記第１の信号を復号するための第２の信号を同相信号として前記伝送路に重畳して前記外部機器に送信する第２の送信部と、
前記伝送路に含まれる一対の差動伝送路を介して前記外部機器と通信を行って、前記一対の差動伝送路のうち少なくとも一方の直流バイアス電位によって前記外部機器へ自装置の接続状態を通知する状態通知部と
を具備するインターフェース回路。
【請求項６】
前記第１の信号は、オーディオ信号である請求項５記載のインターフェース回路。
【請求項７】
前記伝送路はＨＤＭＩケーブルを構成するユーティリティラインおよびホットプラグ検出ラインである請求項５記載のインターフェース回路。
【請求項８】
第１の信号を差動信号として伝送路を介して外部機器に送信する第１の送信部と、
前記第１の信号のクロック成分を含む第２の信号を同相信号として前記伝送路に重畳して前記外部機器に送信する第２の送信部と、
前記伝送路に含まれる一対の差動伝送路を介して前記外部機器と通信を行って、前記一対の差動伝送路のうち少なくとも一方の直流バイアス電位によって前記外部機器へ自装置の接続状態を通知する状態通知部と
を具備するインターフェース回路。
【請求項９】
前記第１の信号は、オーディオ信号である請求項８記載のインターフェース回路。
【請求項１０】
前記伝送路はＨＤＭＩケーブルを構成するユーティリティラインおよびホットプラグ検出ラインである請求項８記載のインターフェース回路。
【請求項１１】
外部機器から伝送路を介して受信した差動信号からクロック成分を含む第１の信号を抽出する第１の受信部と、
前記外部機器から前記伝送路を介して受信した同相信号からクロック成分を含む第２の信号を抽出する第２の受信部と、
前記伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と
を具備するインターフェース回路。
【請求項１２】
前記第１の信号は、オーディオ信号である請求項１１記載のインターフェース回路。
【請求項１３】
前記第１の信号を暗号化および復号するためのやりとりを前記伝送路とは異なる第２の伝送路を介して前記外部機器と行う通信部をさらに具備する請求項１１記載のインターフェース回路。
【請求項１４】
前記伝送路はＨＤＭＩケーブルを構成するユーティリティラインおよびホットプラグ検出ラインであり、
前記第２の伝送路はＨＤＭＩケーブルを構成するディスプレイデータチャネルである
請求項１１記載のインターフェース回路。
【請求項１５】
外部機器から伝送路を介して受信した差動信号からクロック成分を含む第１の信号を抽出する第１の受信部と、
前記外部機器から前記伝送路を介して受信した同相信号から前記第１の信号を復号するための第２の信号を抽出する第２の受信部と、
前記伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と
を具備するインターフェース回路。
【請求項１６】
前記第１の信号は、オーディオ信号である請求項１５記載のインターフェース回路。
【請求項１７】
前記伝送路はＨＤＭＩケーブルを構成するユーティリティラインおよびホットプラグ検出ラインである請求項１５記載のインターフェース回路。
【請求項１８】
外部機器から伝送路を介して受信した差動信号から第１の信号を抽出する第１の受信部と、
前記外部機器から前記伝送路を介して受信した同相信号から前記第１の信号のクロック成分を含む第２の信号を抽出する第２の受信部と、
前記伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と
を具備するインターフェース回路。
【請求項１９】
前記第１の信号は、オーディオ信号である請求項１８記載のインターフェース回路。
【請求項２０】
前記伝送路はＨＤＭＩケーブルを構成するユーティリティラインおよびホットプラグ検出ラインである請求項１８記載のインターフェース回路。
【請求項２１】
第１のインターフェース回路と第２のインターフェース回路とを伝送路を介して接続した情報処理システムであって、
前記第１のインターフェース回路は、クロック成分を含む第１の信号を差動信号として前記伝送路を介して前記第２のインターフェース回路に送信する第１の送信部と、クロック成分を含む第２の信号を同相信号として前記伝送路に重畳して前記第２のインターフェース回路に送信する第２の送信部と、前記伝送路に含まれる一対の差動伝送路を介して前記第２のインターフェース回路と通信を行って、前記一対の差動伝送路のうち少なくとも一方の直流バイアス電位によって前記第２のインターフェース回路へ前記第１のインターフェース回路の接続状態を通知する状態通知部とを備え、
前記第２のインターフェース回路は、前記第１のインターフェース回路から前記伝送路を介して受信した差動信号からクロック成分を含む第１の信号を抽出する第１の受信部と、前記第１のインターフェース回路から前記伝送路を介して受信した同相信号からクロック成分を含む第２の信号を抽出する第２の受信部と、前記伝送路に含まれる一対の差動伝送路を介して前記第１のインターフェース回路と通信を行って、前記一対の差動伝送路のうち少なくとも一方の直流バイアス電位によって前記第１のインターフェース回路からの接続状態の通知を受ける状態受領部とを備える
情報処理システム。
【発明の詳細な説明】
【技術分野】
【０００１】
本技術は、インターフェース回路に関する。詳しくは、機器間で音声信号や映像信号などのデジタル信号を伝送するためのインターフェース回路および情報処理システムに関する。
【背景技術】
【０００２】
近年、音声信号や映像信号などのデジタル信号を扱うＡＶ（Audio/Visual）機器が普及するにつれて、これらＡＶ機器間においてデジタル信号を伝送するためのインターフェースとして様々な方式のものが提案されている。このようなインターフェースとしては、例えば、ＩＥＥＥ（Institute of Electrical and Electronics Engineers）１３９４規格や、ＨＤＭＩ（High-Definition Multimedia Interface）規格（ＨＤＭＩは登録商標）などが広く知られている。このようなインターフェースにおいて、メインの大容量チャンネルの伝送方向とは逆方向にオーディオ信号を伝送する技術が知られている。例えば、ＨＤＭＩ規格において、ＳＰＤＩＦと呼ばれるバイフェーズ変調信号を、ＴＭＤＳと呼ばれるシリアル伝送路の伝送方向とは逆方向に伝送するインターフェース回路が提案されている（例えば、特許文献１参照。）。
【先行技術文献】
【特許文献】
【０００３】
【特許文献１】特開２００９−１３０６０６号公報
【発明の概要】
【発明が解決しようとする課題】
【０００４】
しかしながら、ＳＰＤＩＦのバイフェーズ変調信号は、実質３Ｍｂｐｓ程度のオーディオ信号の伝送を想定したものであり、いわゆるＨＢＲ（High-Bitrate Audio）などの高品位オーディオ信号の伝送には適さない。仮にこのバイフェーズ変調信号を高速伝送した場合には、固定ビットレートによる同相信号であることから、不要な輻射が発生してしまい、ケーブル内の他の信号に影響を与えるおそれがある。
【０００５】
本技術はこのような状況に鑑みて生み出されたものであり、メインの大容量チャンネルの伝送方向とは逆方向に信号を高速に伝送することを目的とする。
【課題を解決するための手段】
【０００６】
本技術は、上述の問題点を解消するためになされたものであり、その第１の側面は、クロック成分を含む第１の信号を差動信号として伝送路を介して外部機器に送信する第１の送信部と、クロック成分を含む第２の信号を同相信号として上記伝送路に重畳して上記外部機器に送信する第２の送信部と、上記伝送路に含まれる一対の差動伝送路を介して上記外部機器と通信を行って、上記一対の差動伝送路のうち少なくとも一方の直流バイアス電位によって上記外部機器へ自装置の接続状態を通知する状態通知部とを具備するインターフェース回路である。これにより、差動伝送される第１の信号と同相伝送される第２の信号とを同一の伝送路により重畳して送信させるという作用をもたらす。
【０００７】
また、この第１の側面において、上記第１の信号は、オーディオ信号であってもよい。その伝送時の変調としては、例えば、ＭＬＴ−３方式やＮＲＺ方式などが想定される。
【０００８】
また、この第１の側面において、上記第１の信号を暗号化および復号するためのやりとりを上記伝送路とは異なる第２の伝送路を介して上記外部機器と行う通信部をさらに具備してもよい。これにより、暗号化された第１の信号を送信させるという作用をもたらす。また、上記伝送路はＨＤＭＩケーブルを構成するユーティリティラインおよびホットプラグ検出ラインを利用することができ、上記第２の伝送路はＨＤＭＩケーブルを構成するディスプレイデータチャネルを利用することができる。
【０００９】
また、本技術の第２の側面は、クロック成分を含む第１の信号を差動信号として伝送路を介して外部機器に送信する第１の送信部と、上記第１の信号を復号するための第２の信号を同相信号として上記伝送路に重畳して上記外部機器に送信する第２の送信部と、上記伝送路に含まれる一対の差動伝送路を介して上記外部機器と通信を行って、上記一対の差動伝送路のうち少なくとも一方の直流バイアス電位によって上記外部機器へ自装置の接続状態を通知する状態通知部とを具備するインターフェース回路である。これにより、差動伝送される第１の信号とその第１の信号を復号するための同相伝送される第２の信号とを同一の伝送路により重畳して送信させるという作用をもたらす。
【００１０】
また、この第２の側面において、上記第１の信号は、オーディオ信号であってもよい。また、伝送路はＨＤＭＩケーブルを構成するユーティリティラインおよびホットプラグ検出ラインを利用することができる。
【００１１】
また、本技術の第３の側面は、外部機器から伝送路を介して受信した差動信号からクロック成分を含む第１の信号を抽出する第１の受信部と、上記外部機器から上記伝送路を介して受信した同相信号からクロック成分を含む第２の信号を抽出する第２の受信部と、上記伝送路に含まれる一対の差動伝送路を介して上記外部機器と通信を行って、上記一対の差動伝送路のうち少なくとも一方の直流バイアス電位によって上記外部機器からの接続状態の通知を受ける状態受領部とを具備するインターフェース回路である。これにより、差動伝送される第１の信号と同相伝送される第２の信号とを同一の伝送路により受信させるという作用をもたらす。
【００１２】
また、この第３の側面において、上記第１の信号は、オーディオ信号であってもよい。
【００１３】
また、この第３の側面において、上記第１の信号を暗号化および復号するためのやりとりを上記伝送路とは異なる第２の伝送路を介して上記外部機器と行う通信部をさらに具備してもよい。これにより、暗号化された第１の信号を受信させるという作用をもたらす。また、上記伝送路はＨＤＭＩケーブルを構成するユーティリティラインおよびホットプラグ検出ラインを利用することができ、上記第２の伝送路はＨＤＭＩケーブルを構成するディスプレイデータチャネルを利用することができる。
【００１４】
また、本技術の第４の側面は、外部機器から伝送路を介して受信した差動信号からクロック成分を含む第１の信号を抽出する第１の受信部と、上記外部機器から上記伝送路を介して受信した同相信号から上記第１の信号を復号するための第２の信号を抽出する第２の受信部と、上記伝送路に含まれる一対の差動伝送路を介して上記外部機器と通信を行って、上記一対の差動伝送路のうち少なくとも一方の直流バイアス電位によって上記外部機器からの接続状態の通知を受ける状態受領部とを具備するインターフェース回路である。これにより、差動伝送される第１の信号とその第１の信号を復号するための同相伝送される第２の信号とを同一の伝送路により受信させるという作用をもたらす。
【００１５】
また、この第４の側面において、上記第１の信号は、オーディオ信号であってもよい。また、伝送路はＨＤＭＩケーブルを構成するユーティリティラインおよびホットプラグ検出ラインを利用することができる。
【００１６】
また、本技術の第５の側面は、第１のインターフェース回路と第２のインターフェース回路とを伝送路を介して接続した情報処理システムであって、上記第１のインターフェース回路は、クロック成分を含む第１の信号を差動信号として上記伝送路を介して上記第２のインターフェース回路に送信する第１の送信部と、クロック成分を含む第２の信号を同相信号として上記伝送路に重畳して上記第２のインターフェース回路に送信する第２の送信部と、上記伝送路に含まれる一対の差動伝送路を介して上記第２のインターフェース回路と通信を行って、上記一対の差動伝送路のうち少なくとも一方の直流バイアス電位によって上記第２のインターフェース回路へ上記第１のインターフェース回路の接続状態を通知する状態通知部とを備え、上記第２のインターフェース回路は、上記第１のインターフェース回路から上記伝送路を介して受信した差動信号からクロック成分を含む第１の信号を抽出する第１の受信部と、上記第１のインターフェース回路から上記伝送路を介して受信した同相信号からクロック成分を含む第２の信号を抽出する第２の受信部と、上記伝送路に含まれる一対の差動伝送路を介して上記第１のインターフェース回路と通信を行って、上記一対の差動伝送路のうち少なくとも一方の直流バイアス電位によって上記第１のインターフェース回路からの接続状態の通知を受ける状態受領部とを備える情報処理システムである。これにより、差動伝送される第１の信号と同相伝送される第２の信号とを同一の伝送路により重畳して送信させ、受信させるという作用をもたらす。
【発明の効果】
【００１７】
本技術によれば、メインの大容量チャンネルの伝送方向とは逆方向に信号を高速に伝送することができるという優れた効果を奏し得る。なお、ここに記載された効果は必ずしも限定されるものではなく、本開示中に記載されたいずれかの効果であってもよい。
【図面の簡単な説明】
【００１８】
【図１】ＨＤＭＩ規格によるインターフェースの概念構成図である。
【図２】ＨＤＭＩ規格によるコネクタのピン配置例を示す図である。
【図３】本発明の実施の形態におけるソース機器１００およびシンク機器２００の内部構成例について示す図である。
【図４】本技術の実施の形態におけるソース側受信回路１４０およびシンク側送信回路２５０の一構成例を示す図である。
【図５】本技術の実施の形態における動作の概要を示す図である。
【図６】本技術の実施の形態におけるシンク機種検出回路１１０およびソース機種検出回路２１０の構成例を示す図である。
【図７】本技術の実施の形態におけるプラグ接続検出回路１２０およびプラグ接続伝達回路２２０の構成例を示す図である。
【図８】一般的な高品位コンテンツ伝送における著作権保護技術適用システムの概要を示す図である。
【図９】本技術の第２の実施の形態におけるソース機器１００の構成例を示す図である。
【図１０】本技術の第２の実施の形態におけるシンク機器２００の構成例を示す図である。
【図１１】本技術の第２の実施の形態における認証および鍵交換の手順の一例を示すシーケンス図である。
【図１２】本技術の実施の形態におけるディスクプレイヤ５００の構成例を示す図である。
【図１３】本技術の実施の形態におけるテレビ受信機６００の構成例を示す図である。
【図１４】本技術の実施の形態におけるデジタルカメラ７００の構成例を示す図である。
【発明を実施するための形態】
【００１９】
以下、本技術を実施するための形態（以下、実施の形態と称する）について説明する。説明は以下の順序により行う。
１．第１の実施の形態（逆方向信号伝送の例）
２．第２の実施の形態（著作権保護用鍵伝送の例）
３．第３の実施の形態（同相信号によるクロック信号伝送の例）
４．適用例
【００２０】
＜１．第１の実施の形態＞
［ＨＤＭＩ規格によるインターフェース］
図１は、ＨＤＭＩ規格によるインターフェースの概念構成図である。ＨＤＭＩ規格では、基本となる高速伝送ラインによる伝送方向を一方向に定めており、送信側の機器をソース機器、受信側の機器をシンク機器と呼んでいる。この例では、ソース機器１００およびシンク機器２００がＨＤＭＩケーブル３００により接続されている。そして、ソース機器１００には送信動作を行うトランスミッタ１０１が含まれ、シンク機器２００には受信動作を行うレシーバ２０１が含まれている。
【００２１】
トランスミッタ１０１とレシーバ２０１との間の伝送には、ＴＭＤＳ（Transition Minimized Differential Signaling）と呼ばれるシリアル伝送方式が用いられる。ＨＤＭＩ規格では、映像信号および音声信号は３つのＴＭＤＳチャンネル３１０乃至３３０を用いて伝送される。すなわち、ある垂直同期信号から次の垂直同期信号までの区間の内、水平帰線区間および垂直帰線区間を除いた区間である有効画像区間において、非圧縮の１画面分の画像の画素データに対応する差動信号が、ＴＭＤＳチャンネル３１０乃至３３０により、シンク機器２００に向けて一方向に送信される。また、水平帰線区間または垂直帰線区間においては、音声データ、制御データまたはその他の補助データ等に対応する差動信号が、ＴＭＤＳチャンネル３１０乃至３３０により、シンク機器２００に向けて一方向に送信される。
【００２２】
また、ＨＤＭＩ規格では、クロック信号がＴＭＤＳクロックチャンネル３４０により伝送される。ＴＭＤＳチャンネル３１０乃至３３０の各々では、ＴＭＤＳクロックチャンネル３４０により伝送される１クロックの間に、１０ビット分の画素データを送信することができる。
【００２３】
また、ＨＤＭＩ規格では、ディスプレイデータチャンネル（ＤＤＣ：Display Data Channel）３５０が設けられる。このディスプレイデータチャンネル３５０は、本来、シンク機器２００におけるＥＤＩＤ  ＲＯＭ２８２に記憶されるＥ−ＥＤＩＤ情報をソース機器１００が読み出すために用いられる。Ｅ−ＥＤＩＤ（Enhanced Extended Display Identification Data）情報とは、シンク機器２００がディスプレイ装置である場合に、その機種、解像度、色の特性およびタイミングなどの設定や性能に関する情報を示すものである。このＥ−ＥＤＩＤ情報は、シンク機器２００のＥＤＩＤ  ＲＯＭ２８２に保持される。
【００２４】
さらに、ＨＤＭＩ規格では、ＣＥＣ（Consumer Electronics Control）ライン３６１、Ｕｔｉｌｉｔｙライン３６２およびＨＰＤ（Hot Plug Detect）ライン３６３等が設けられる。ＣＥＣライン３６１は、機器制御信号の双方向通信を行うためのラインである。ディスプレイデータチャンネル３５０が機器間を１対１に接続するのに対して、このＣＥＣライン３６１はＨＤＭＩに接続される全機器において共有されて通信を行う。
【００２５】
ＨＰＤライン３６３は、ＨＤＭＩのケーブルによって他の機器と接続されていること（ホットプラグ）を検知するためのラインである。ＨＤＭＩ１．４規格では、Ｕｔｉｌｉｔｙライン３６２およびＨＰＤライン３６３を用いて、シンク機器２００からソース機器１００にオーディオ信号を同相信号として伝送するＡＲＣ（Audio Return Channel）が定義されている。本発明の実施の形態では、これらＵｔｉｌｉｔｙライン３６２およびＨＰＤライン３６３を用いて、シンク機器２００からソース機器１００に高品質オーディオ信号をより高速に伝送するために、オーディオ信号を差動信号として伝送する。
【００２６】
ＩＥＣ（International Electrotechnical Commission：国際電気標準会議）などで規格化が行われているオーディオフォーマットは、１５３６ＫＨｚのフレームレートまで拡張されている。そのデータレートは最大で４９．１５２Ｍｂｐｓとなる。一方、ＨＤＭＩ１．４規格で定義されているＵｔｉｌｉｔｙライン３６２およびＨＰＤライン３６３によるＨＥＣチャンネルは、１００Ｂａｓｅ−Ｔ信号の伝送に対応しており、その伝送スピードは１２５Ｍｂｐｓとなっている。したがって、この伝送路を使用することにより、現在想定されているオーディオの最大データレートの伝送は可能である。
【００２７】
図２は、ＨＤＭＩ規格によるコネクタのピン配置例を示す図である。ここでは、タイプＡと呼ばれるピン配置におけるピン番号３０１と信号名称３０２との対応関係が示されている。
【００２８】
ＴＭＤＳチャンネル３１０乃至３３０およびＴＭＤＳクロックチャンネル３４０は、それぞれ正極、シールドおよび負極の３ピンから構成されており、１乃至３番ピンがＴＭＤＳチャンネル３３０、４乃至６番ピンがＴＭＤＳチャンネル３２０、７乃至９番ピンがＴＭＤＳチャンネル３１０、１０乃至１２番ピンがＴＭＤＳクロックチャンネル３４０にそれぞれ対応している。
【００２９】
また、１３番ピンがＣＥＣライン３６１に、１４番ピンがＵｔｉｌｉｔｙライン３６２に、１９番ピンがＨＰＤライン３６３に、それぞれ対応している。また、ディスプレイデータチャンネル３５０は、シリアルクロック（ＳＣＬ）、シリアルデータ（ＳＤＡ）および接地（グランド）の３ピンから構成されており、１５乃至１７番ピンがそれぞれ対応する。なお、ディスプレイデータチャンネル３５０の接地（１７番ピン）は、ＣＥＣライン３６１の接地と共通化されている。１８番ピンは電源供給ライン（＋５Ｖ）に対応する。
【００３０】
［ソース機器とシンク機器］
図３は、本発明の実施の形態におけるソース機器１００およびシンク機器２００の内部構成例について示す図である。ここでは、本技術の実施の形態における要部であるＵｔｉｌｉｔｙライン３６２およびＨＰＤライン３６３に関する構成を示している。ソース機器１００は、シンク機種検出回路１１０と、プラグ接続検出回路１２０と、ソース側受信回路１４０と、同相信号受信回路１６０と、差動信号受信回路１７０とを備えている。また、シンク機器２００は、ソース機種検出回路２１０と、プラグ接続伝達回路２２０と、シンク側送信回路２５０と、同相信号送信回路２６０と、差動信号送信回路２７０とを備えている。
【００３１】
Ｕｔｉｌｉｔｙライン３６２は、ＨＤＭＩ１．４規格から用いられるようになったラインである。ソース機器１００におけるシンク機種検出回路１１０では、Ｕｔｉｌｉｔｙライン３６２を介してシンク機器２００の機種を検出する。また、シンク機器２００におけるソース機種検出回路２１０では、Ｕｔｉｌｉｔｙライン３６２を介してソース機器１００の機種を検出する。ここにいう機種としては、例えば、ＨＤＭＩ１．４規格のようにＵｔｉｌｉｔｙライン３６２およびＨＰＤライン３６３によりＡＲＣを伝送するようにした機種（以下、ＡＲＣ対応機種という。）を想定することができる。
【００３２】
ＨＰＤライン３６３は、上述のとおりＨＤＭＩのケーブルによって他の機器と接続されていることを検知するためのラインである。シンク機器２００におけるプラグ接続伝達回路２２０は、ＨＰＤライン３６３に接続する端子を所定の電圧にバイアスすることにより、シンク機器２００が接続されている旨を伝達する。ソース機器１００におけるプラグ接続検出回路１２０は、ＨＰＤライン３６３に接続する端子の電位を基準電位と比較することにより、シンク機器２００の接続を検出する。
【００３３】
このような機能を有するＵｔｉｌｉｔｙライン３６２およびＨＰＤライン３６３に対して、本技術の実施の形態では、ソース側受信回路１４０およびシンク側送信回路２５０を接続する。すなわち、ソース機器１００におけるソース側受信回路１４０は、コンデンサ１３１および１３２と抵抗１３３とを介してＵｔｉｌｉｔｙライン３６２およびＨＰＤライン３６３に接続する。また、シンク機器２００におけるシンク側送信回路２５０は、コンデンサ２３１および２３２と抵抗２３３とを介してＵｔｉｌｉｔｙライン３６２およびＨＰＤライン３６３に接続する。
【００３４】
ソース側受信回路１４０は、Ｕｔｉｌｉｔｙライン３６２およびＨＰＤライン３６３を用いてシンク機器２００から伝送される同相信号を同相信号受信回路１６０に接続し、差動信号を差動信号受信回路１７０に接続する。
【００３５】
シンク側送信回路２５０は、Ｕｔｉｌｉｔｙライン３６２およびＨＰＤライン３６３を用いてソース機器１００に伝送される同相信号を同相信号送信回路２６０に接続し、差動信号を差動信号送信回路２７０に接続する。
【００３６】
なお、本実施の形態において、シンク側送信回路２５０とソース側受信回路１４０における差動信号の伝送はＡＣ結合により行われることが望ましい。
【００３７】
同相信号受信回路１６０および同相信号送信回路２６０は、ＳＰＤＩＦ規格に準拠した単一方向通信を行うものである。ここで、ＳＰＤＩＦ規格とは、デジタルオーディオ信号をリアルタイムに伝送するためのインターフェース規格であり、ＩＥＣにおいて「IEC 60958」として規格化されている。このＳＰＤＩＦ規格において伝送されるＳＰＤＩＦ信号は、バイフェーズマーク変調されるため、その信号中にクロック成分を含んでいる。なお、これら同相信号受信回路１６０および同相信号送信回路２６０は、従来技術により実現される。
【００３８】
差動信号受信回路１７０および差動信号送信回路２７０は、本実施の形態において、オーディオ信号の単一方向通信を行うものである。この差動信号についても、データとそれに同期するクロックが伝送される。伝送時の変調としては、ＭＬＴ−３方式やＮＲＺ方式などが想定される。
【００３９】
ＭＬＴ−３方式は、３段階の電圧レベルにより伝送を行うものであり、データが「０」の場合には変化せず、データが「１」の場合に変化する符号として定義される。ＨＤＭＩ１．４規格のＨＥＣチャンネルではこのＭＬＴ−３方式が採用されており、同様の物理層をオーディオ伝送に必要な周波数で駆動することにより本実施の形態における差動信号を伝送することができる。また、ＭＬＴ−３方式を利用した場合には、伝送データからクロックを抽出することができる。１００Ｂａｓｅ−Ｔと同様に、ＤＣフリー化をするために、オーディオ信号に対してマンチェスター符号化を施してもよい。
【００４０】
ＮＲＺ方式は、ビット転送毎に電位をゼロに戻さない方式であり、データが「０」の場合にゼロ電位、データが「１」の場合にプラス電位となる。シンプルな方式であるが、ＤＣフリー化およびクロック情報をデータに埋め込むために、８Ｂ１０Ｂ等のコーディングが必要となる。８Ｂ１０Ｂは、８ビットのデータにクロックを埋め込んで１０ビットのデータに変換して転送する方式である。
【００４１】
なお、同相信号受信回路１６０は、特許請求の範囲に記載の第２の受信部の一例である。また、差動信号受信回路１７０は、特許請求の範囲に記載の第１の受信部の一例である。また、同相信号送信回路２６０は、特許請求の範囲に記載の第２の送信部の一例である。また、差動信号送信回路２７０は、特許請求の範囲に記載の第１の送信部の一例である。また、プラグ接続検出回路１２０は、特許請求の範囲に記載の状態受領部の一例である。また、プラグ接続伝達回路２２０は、特許請求の範囲に記載の状態通知部の一例である。
【００４２】
図４は、本技術の実施の形態におけるソース側受信回路１４０およびシンク側送信回路２５０の一構成例を示す図である。
【００４３】
図４におけるａに示すように、シンク側送信回路２５０は、増幅器２５１と、加算器２５２および２５３とを備えている。
【００４４】
増幅器２５１は、差動信号送信回路２７０から供給される信号を増幅する増幅器である。この増幅器２５１の出力は差動信号になっており、加算器２５２には正極の信号が、加算器２５３には負極の信号がそれぞれ供給される。
【００４５】
加算器２５２は、同相信号送信回路２６０から供給される信号と増幅器２５１の正極出力とを加算する回路である。加算器２５３は、同相信号送信回路２６０から供給される信号と増幅器２５１の負極出力とを加算する回路である。
【００４６】
すなわち、増幅器２５１から出力される信号が差動信号であるのに対して、加算器２５２および２５３により重畳される信号は同相信号である。これにより、両信号は、同じ一対の信号線（Ｕｔｉｌｉｔｙライン３６２およびＨＰＤライン３６３）によって伝送することが可能となる。
【００４７】
図４におけるｂに示すように、ソース側受信回路１４０は、増幅器１４１と、加算器１４２とを備えている。
【００４８】
増幅器１４１は、Ｕｔｉｌｉｔｙライン３６２およびＨＰＤライン３６３からの信号を増幅する増幅器である。Ｕｔｉｌｉｔｙライン３６２およびＨＰＤライン３６３の信号は差動信号になっており、増幅器１４１は差動入力により動作する。
【００４９】
加算器１４２は、増幅器１４１の出力の正極の信号と負極の信号とを加算する回路である。
【００５０】
すなわち、Ｕｔｉｌｉｔｙライン３６２およびＨＰＤライン３６３によって伝送された信号のうち、差動信号が増幅器１４１によって抽出され、同相信号が加算器１４２によって抽出される。
【００５１】
図５は、本技術の実施の形態における動作の概要を示す図である。上述のように、１４番ピンはＵｔｉｌｉｔｙライン３６２に対応し、１９番ピンはＨＰＤライン３６３に対応する。ＨＤＭＩ１．４規格以前の機器では、Ｕｔｉｌｉｔｙライン３６２およびＨＰＤライン３６３によって同相信号または差動信号の何れも伝送されない。ＨＤＭＩ１．４規格のように同相信号が伝送される場合には、１４番ピンおよび１９番ピンに正極信号が重畳される。本実施の形態のように差動信号が伝送される場合には、１４番ピンに正極信号が重畳され、１９番ピンに負極信号が重畳される。本実施の形態では、同相信号および差動信号を同時に伝送することも可能である。
【００５２】
したがって、同相信号および差動信号は、Ｕｔｉｌｉｔｙライン３６２およびＨＰＤライン３６３において互いに独立して伝送することができ、両信号を伝送する場合や一方の信号のみを伝送する場合でも、受信側（ソース側受信回路１４０）に特別な機構を要することなく対応することができる。
【００５３】
シンク機器２００側からの高品質オーディオ伝送がユーザによって所望された場合、ソース機器１００またはシンク機器２００は、ＣＥＣライン３６１等によるコマンドや、ＤＤＣ３５０による通信を用いて、その伝送機能のアクティベートを要求する。例えば、ユーザがシンク機器２００としてのディスプレイのリモートコントローラを用いてその機能を選択した場合や、ソース機器１００としてのオーディオ再生機を起動することによってその伝送機能を選択した場合が、これに該当する。アクティベート要求を受けたソース機器１００またはシンク機器２００は、自身がその伝送機能に対応しているか否かを、現在のＴＭＤＳチャンネルの使用状況等を鑑みて、そのアクティベート要求への回答として同様の方法で送信する。アクティベーション要求への回答を受領次第、または、回答を送信し次第、双方のデバイスとも構成を変更して、高品質オーディオ伝送を開始する。同様に、その伝送機能を中止または停止する際にも、同様のコマンド等のやり取りを行うことにより、実現することができる。
【００５４】
［機種検出］
図６は、本技術の実施の形態におけるシンク機種検出回路１１０およびソース機種検出回路２１０の構成例を示す図である。
【００５５】
図６におけるａに示すように、シンク機種検出回路１１０は、抵抗１１１および１１２と、コンデンサ１１３と、比較器１１６とを備えている。抵抗１１１は、Ｕｔｉｌｉｔｙライン３６２を＋５Ｖにプルアップするものである。この抵抗１１１は、ソース機器１００が特定の機種である場合のみ存在し、ソース機器１００が特定の機種でない場合にはプルアップが行われない。抵抗１１２およびコンデンサ１１３は、ローパスフィルタを構成するものである。このローパスフィルタの出力は信号線１１４に供給される。比較器１１６は、ローパスフィルタから信号線１１４に供給された直流電位を、信号線１１５に与えられた基準電位と比較するものである。
【００５６】
また、図６におけるｂに示すように、ソース機種検出回路２１０は、抵抗２１１および２１２と、コンデンサ２１３と、比較器２１６とを備えている。抵抗２１１は、Ｕｔｉｌｉｔｙライン３６２を接地電位にプルダウンするものである。この抵抗２１１は、シンク機器２００が特定の機種である場合のみ存在し、シンク機器２００が特定の機種でない場合にはプルダウンが行われない。抵抗２１２およびコンデンサ２１３は、ローパスフィルタを構成するものである。このローパスフィルタの出力は信号線２１５に供給される。比較器２１６は、ローパスフィルタから信号線２１５に供給された直流電位を、信号線２１４に与えられた基準電位と比較するものである。
【００５７】
シンク機器２００が特定の機種であれば抵抗２１１によるプルダウンが行われてＵｔｉｌｉｔｙライン３６２の電位が２．５Ｖとなり、シンク機器２００が特定の機種でなければ開放されて５Ｖとなる。したがって、信号線１１５の基準電位を例えば３．７５Ｖとすれば、信号線１１７の出力に基づいて、ソース機器１００においてシンク機器２００の機種を識別することができる。
【００５８】
同様に、ソース機器１００が特定の機種であれば抵抗１１１によるプルアップが行われてＵｔｉｌｉｔｙライン３６２の電位が２．５Ｖとなり、ソース機器１００が特定の機種でなければ０Ｖとなる。したがって、信号線２１４の基準電位を例えば１．２５Ｖとすれば、信号線２１７の出力に基づいて、シンク機器２００においてソース機器１００の機種を識別することができる。
【００５９】
これら機種検出のための信号は直流バイアス電位で伝達されるため、交流信号として伝達される同相信号および差動信号に影響を与えるものではない。
【００６０】
［接続検出］
図７は、本技術の実施の形態におけるプラグ接続検出回路１２０およびプラグ接続伝達回路２２０の構成例を示す図である。
【００６１】
図７におけるａに示すように、プラグ接続伝達回路２２０は、チョークコイル２２１と、抵抗２２２および２２３とを備えている。これらチョークコイル２２１、抵抗２２２および２２３は、ＨＰＤライン３６３を例えば約４Ｖにバイアスするものである。
【００６２】
また、図７におけるｂに示すように、プラグ接続検出回路１２０は、抵抗１２１および１２２と、コンデンサ１２３と、比較器１２６とを備えている。抵抗１２１は、ＨＰＤライン３６３を接地電位にプルダウンするものである。抵抗１２２およびコンデンサ１２３は、ローパスフィルタを構成するものである。このローパスフィルタの出力は信号線１２４に供給される。比較器１２６は、ローパスフィルタから信号線１２４に供給された直流電位を、信号線１２５に与えられた基準電位と比較するものである。
【００６３】
ここで、信号線１２５に基準電位として例えば１．４Ｖを与えるものとする。ソース機器１００がＨＰＤライン３６３に接続されていなければ、入力電位は抵抗１２１によるプルダウンされることにより信号線１２４の電位は信号線１２５の基準電位よりも低くなる。一方、ソース機器１００がＨＰＤライン３６３に接続されていれば、約４Ｖにバイアスされるため、信号線１２４の電位は信号線１２５の基準電位よりも高くなる。したがって、信号線１２７の出力に基づいて、ソース機器１００においてシンク機器２００の接続の有無を検出することができる。
【００６４】
これらプラグ接続検出のための信号は直流バイアス電位で伝達されるため、交流信号として伝達される同相信号および差動信号に影響を与えるものではない。
【００６５】
このように、本技術の第１の実施の形態によれば、ＴＭＤＳチャンネルとは独立した高品位オーディオ伝送路を形成することが可能になる。上述の実施の形態では、その伝送方向としてＡＲＣのようにＴＭＤＳチャンネルとは逆方向を想定したが、ＴＭＤＳチャンネルと順方向にしてもよい。逆方向の場合は高品質オーディオ伝送に対応したＡＲＣアプリケーションを実現することができ、順方向の場合はビデオ伝送を必要としないオーディオ専用伝送アプリケーションを実現することができる。
【００６６】
＜２．第２の実施の形態＞
上述の第１の実施の形態において高品質オーディオ伝送が可能になると、その伝送において著作権保護が必要になる場合がある。この第２の実施の形態では、著作権保護のために必要となる認証および鍵交換の手法について説明する。
【００６７】
図８は、一般的な高品位コンテンツ伝送における著作権保護技術適用システムの概要を示す図である。この著作権保護技術適用システムでは、オーディオ信号を送信する送信機１０と、そのオーディオ信号を受信する受信機２０とを備える。
【００６８】
送信機１０は、送信部１１と、暗号化部１２と、通信部１３と、認証／鍵交換部１４とを備える。通信部１３は、オーディオ信号の暗号化に必要な鍵交換や機器の認証のための通信を行うものである。認証／鍵交換部１４は、通信部１３を介して機器の認証や、鍵交換を行うものである。暗号化部１２は、認証／鍵交換部１４から供給された暗号鍵を用いてオーディオ信号を暗号化するものである。送信部１１は、暗号化部１２によって暗号化されたオーディオ信号を送信するものである。
【００６９】
受信機２０は、受信部２１と、復号化部２２と、通信部２３と、認証／鍵交換部２４とを備えている。受信部２１は、送信機１０から送信された暗号化オーディオ信号を受信するものである。復号化部２２は、受信部２１によって受信された暗号化オーディオ信号を復号するものである。通信部２３は、オーディオ信号の復号に必要な鍵交換や機器の認証のための通信を行うものである。認証／鍵交換部２４は、通信部２３を介して機器の認証や、鍵交換を行うものである。
【００７０】
すなわち、送信機１０および受信機２０は、暗号化オーディオ信号を伝送する伝送路とは別に、機器認証および鍵交換のための双方向通信チャンネルを有する。認証／鍵交換手順としては、例えばＲＳＡの鍵ペアなど機器毎の秘密鍵をベースとした機器認証を行う。その通信過程において、双方が共有する乱数によってコンテンツ鍵を暗号化して送信機１０から受信機２０に送信することにより、送信機１０および受信機２０の双方において同じコンテンツ鍵を共有する。そして、そのコンテンツ鍵を用いて、例えばＡＥＳなどの暗号器および復号器によって、コンテンツ情報を送信機１０では暗号化、受信機２０では復号化することにより、安全に伝送する。なお、コンテンツ鍵は、その安全性をさらに高めるために、一定間隔で更新するようにしてもよい。
【００７１】
なお、通信部１３または通信部２３は、特許請求の範囲に記載の通信部の一例である。
【００７２】
本技術の第２の実施の形態においては、上述の著作権保護のための通信路は以下のように実現することが考えられる。第１の実施例としては、ＨＤＭＩ規格のＤＤＣ３５０を利用することが考えられる。本技術の実施の形態による高品質オーディオ信号が伝送されている期間には、ＴＭＤＳチャンネルによって映像信号の伝送は行われない。したがって、ＤＤＣ３５０を本伝送の著作権保護情報通信に使ってもよい。ＴＭＤＳチャンネルの伝送方向と順方向に通信する場合には、ＨＤＭＩ規格の通りでそのまま適用可能である。ＴＭＤＳチャンネルの伝送方向と逆方向に通信する場合には、ＨＤＭＩ規格のＤＤＣ３５０による通信を逆方向で構成する必要がある。そこで、本技術の第２の実施の形態においては、後述するように、通常はシンク機器２００側に実装されるＤＤＣレジスタをソース機器１００側にも実装し、シンク機器２００をマスターとして動作させる。
【００７３】
第２の実施例としては、Ｕｔｉｌｉｔｙライン３６２およびＨＰＤライン３６３に同相信号として重畳して通信する方法が考えられる。認証に必要なデータ伝送は、双方向で高々数１００Ｋｂｐｓ程度であるため、同相信号として重畳しても差動信号の品質を保つことが可能である。この第２の実施例によれば、ＤＤＣ３５０における変更は不要となる。
【００７４】
以下では、著作権保護のための通信路の第１の実施例としてＤＤＣ３５０を双方向ラインに変更する例について説明する。図２により説明したように、ＤＤＣ３５０は、シリアルクロック（ＳＣＬ）、シリアルデータ（ＳＤＡ）および接地（グランド）の３ピンから構成される。シンク機器２００にはＥＤＩＤ  ＲＯＭ２８２などのレジスタ群が設けられ、ＳＣＬラインのタイミングに基づいてレジスタ群がアクセスされるとともに、ＳＤＡラインがドライブされる。
【００７５】
［双方向ＤＤＣ］
図９は、本技術の第２の実施の形態におけるソース機器１００の構成例を示す図である。図１０は、本技術の第２の実施の形態におけるシンク機器２００の構成例を示す図である。ここでは、ソース機器１００およびシンク機器２００が、ＳＣＬライン３５１およびＳＤＡライン３５２により接続される様子を示している。なお、ここでは、グランドラインを省略している。
【００７６】
ソース機器１００は、処理部１８１と、ＤＤＣレジスタ１８３と、セレクタ１８４と、ドライバ１８５乃至１８７とを備えている。同様に、シンク機器２００は、処理部２８１と、ＤＤＣレジスタ２８３と、セレクタ２８４と、ドライバ２８５乃至２８７とを備えている。
【００７７】
ソース機器１００からシンク機器２００にデータ伝送する場合、ソース機器１００がマスターとなり、処理部１８１から伝送方向信号ＤＩＲとして「１」が出力される。これにより、ドライバ１８５が動作し、ドライバ１８６の出力がハイインピーダンスとなる。そのため、処理部１８１からのクロック信号ＣＬＫがＳＣＬライン３５１に出力される。また、セレクタ１８４は、処理部１８１からのデータ信号ＤＡＴＡを選択する。そのため、ドライバ１８７を介してデータ信号ＤＡＴＡがＳＤＡライン３５２に出力される。
【００７８】
この場合において、シンク機器２００はスレーブとなり、処理部２８１から伝送方向信号ＤＩＲとして「０」が出力される。これにより、ドライバ２８６が動作し、ドライバ２８５の出力がハイインピーダンスとなる。そのため、ＳＣＬライン３５１の値がクロック信号ＣＫとしてＤＤＣレジスタ２８３に入力される。また、セレクタ２８４は、ＳＤＡライン３５２の値をデータ信号ＤとしてＤＤＣレジスタ２８３に接続される。そのため、ＤＤＣレジスタ２８３は、クロック信号ＣＫに従って、データ信号Ｄを保持または出力する。
【００７９】
一方、シンク機器２００からソース機器１００にデータ伝送する場合、シンク機器２００がマスターとなり、処理部２８１から伝送方向信号ＤＩＲとして「１」が出力される。また、この場合、ソース機器１００がスレーブとなり、処理部１８１から伝送方向信号ＤＩＲとして「０」が出力される。すなわち、ソース機器１００およびシンク機器２００が上述の場合とは逆の動作を行う。なお、この伝送方向の切り替えにあたっては、上述のようにソース機器１００およびシンク機器２００の双方において構成の変更が周知されている必要がある。
【００８０】
このようにして、ＤＤＣ３５０が双方向化されることにより、ソース機器１００およびシンク機器２００の間において、著作権保護に必要な情報のやりとりが可能となる。
【００８１】
［認証および鍵交換の手順］
図１１は、本技術の第２の実施の形態における認証および鍵交換の手順の一例を示すシーケンス図である。
【００８２】
まず、ソース機器１００は、認証局による証明書が付与されたソース機器１００の公開鍵をシンク機器２００に対して送信する（Ｓ９１１）。ソース機器１００の公開鍵を受信したシンク機器２００は、認証局による証明書が付与されたシンク機器２００の公開鍵およびデバイスＩＤをソース機器１００に対して送信する（Ｓ９２１）。
【００８３】
シンク機器２００の公開鍵およびデバイスＩＤを受信したソース機器１００は、デバイスＩＤを参照して無効デバイスに該当しない旨を確認する（Ｓ９１３）。無効デバイスに該当する場合には処理を中止する。無効デバイスに該当しない場合には、ソース機器１００は、乱数を発生して、その乱数をシンク機器２００の公開鍵によって暗号化して、シンク機器２００に送信する（Ｓ９１４）。
【００８４】
シンク機器２００は、乱数を発生して、その乱数をソース機器１００の公開鍵によって暗号化する。そして、シンク機器２００は、ソース機器１００から受信した暗号化データおよび自身で暗号化した暗号化データの両者を署名して、自身で暗号化した暗号化データと署名データとをソース機器１００に送信する（Ｓ９２５）。
【００８５】
ソース機器１００は、シンク機器２００から受信した署名データを検証する（Ｓ９１６）。ここで、署名が正しくない場合には処理を中止する。署名が正しければ、シンク機器２００から受信した暗号化データおよび自身で暗号化した暗号化データの両者を署名してシンク機器２００に送信する。そして、ソース機器１００自身が送信した乱数とシンク機器２００から受信した暗号化データを復号したデータとから鍵を生成する（Ｓ９１７）。
【００８６】
シンク機器２００は、ソース機器１００から受信した署名データを検証する（Ｓ９２８）。ここで、署名が正しくない場合には処理を中止する。署名が正しければ、シンク機器２００自身が送信した乱数とソース機器１００から受信した暗号化データを復号したデータとから鍵を生成する（Ｓ９２９）。
【００８７】
このようにしてソース機器１００およびシンク機器２００の双方において生成された鍵は、オーディオ信号の暗号化および復号に用いられる。
【００８８】
このように、本技術の第２の実施の形態によれば、著作権保護を施した状態で、高品質オーディオ伝送を実現することができる。
【００８９】
＜３．第３の実施の形態＞
上述の第１の実施の形態では、Ｕｔｉｌｉｔｙライン３６２およびＨＰＤライン３６３を用いて、シンク機器２００からソース機器１００にクロック成分を含むオーディオ信号を差動信号として伝送していた。これに対し、この第３の実施の形態では、オーディオ信号を差動信号として伝送する一方で、オーディオ信号のクロック信号を同相信号として伝送する。なお、基本的な構成は第１の実施の形態と同様であるため、詳細な説明は省略する。
【００９０】
この第３の実施の形態において、クロック信号は、オーディオ信号のワードクロックを用いることができる。また、ワードクロックが高速となってしまう場合には、その基本クロックを用いてもよい。基本クロックの周波数としては、例えば、３２ＫＨｚ、４４．１ＫＨｚまたは４８ＫＨｚなどが想定される。基本クロックを用いた場合、実際のワードクロックはこれらの倍数となる。ただし、不要輻射を抑えるために、十分低速な信号となることが望ましい。
【００９１】
この同相信号によるクロック信号は、オーディオ信号と同じ方向で伝送することにより、受信側で再生クロックを容易に生成することが可能になる。なお、この同相信号によるクロック信号を受信側から逆方向で伝送することにより、受信側のマスタークロックに同期した高品質再生用クロックとすることも考えられる。
【００９２】
＜４．適用例＞
上述の実施の形態では、ＨＤＭＩ規格に準じたインターフェース回路への適用例について説明したが、本技術は他の構成においても適用可能である。ここではその適用例として、ディスクプレイヤ、テレビ受信機およびデジタルカメラの適用例について説明する。
【００９３】
図１２は、本技術の実施の形態におけるディスクプレイヤ５００の構成例を示す図である。このディスクプレイヤ５００は、プロセッサ５１１と、フラッシュＲＯＭ５１２と、ＳＤＲＡＭ５１３と、表示制御部５１４とを備える。また、このディスクプレイヤ５００は、ＳＡＴＡインターフェース５２１と、ＢＤドライブ５２２と、イーサネット（登録商標）インターフェース５２３と、ネットワーク端子５２４とを備える。また、このディスクプレイヤ５００は、高速バスインターフェース５２５と、ＨＤＭＩ送信部５２６と、ＨＤＭＩ端子５２７と、リモコン受信部５２９とを備える。また、このディスクプレイヤ５００は、ＭＰＥＧデコーダ５３３と、映像出力端子５３８と、音声出力端子５３９とを備える。また、このディスクプレイヤ５００は、グラフィック生成回路５４２と、パネル駆動回路５４３と、表示パネル５４４とを備える。プロセッサ５１１、フラッシュＲＯＭ５１２、ＳＤＲＡＭ５１３、表示制御部５１４、ＳＡＴＡインターフェース５２１、イーサネットインターフェース５２３、ＭＰＥＧデコーダ５３３は、バス５１０によって相互に接続される。
【００９４】
プロセッサ５１１は、ディスクプレイヤ５００の全体を制御するものである。フラッシュＲＯＭ５１２は、プロセッサ５１１の動作に必要なプログラム等を記憶するメモリである。ＳＤＲＡＭ５１３は、プロセッサ５１１の動作に必要なデータ等を記憶するメモリである。
【００９５】
ＳＡＴＡインターフェース５２１は、シリアルＡＴＡを接続するためのインターフェースである。ＢＤドライブ５２２は、ブルーレイディスク（Blu-ray（登録商標）Disc）を駆動するためのディスクドライブである。イーサネットインターフェース５２３は、イーサネットを接続するためのインターフェースである。ネットワーク端子５２４は、イーサネットを接続するための端子である。
【００９６】
高速バスインターフェース５２５は、ＨＤＭＩ規格のＵｔｉｌｉｔｙライン３６２およびＨＰＤライン３６３である。ＨＤＭＩ送信部５２６は、ＨＤＭＩ規格のインターフェースに対する送信回路である。ＨＤＭＩ端子５２７は、ＨＤＭＩ規格に整合する端子である。
【００９７】
リモコン受信部５２９は、ユーザの操作する（図示しない）リモコンからの信号を受信するものである。
【００９８】
ＭＰＥＧデコーダ５３３は、ＭＰＥＧ規格に準ずる信号を復号するデコーダである。映像出力端子５３８は、映像信号を出力する端子である。音声出力端子５３９は、音声信号を出力する端子である。
【００９９】
表示制御部５１４は、表示パネル５４４における表示に必要な制御を行うものである。グラフィック生成回路５４２は、表示パネル５４４に表示するためのグラフィック画像を生成するものである。パネル駆動回路５４３は、表示パネル５４４を駆動するための回路である。表示パネル５４４は、映像を表示するパネルである。ここでは、表示パネル５４４を内蔵するディスクプレイヤ５００を想定したが、表示パネル５４４を内蔵しないものも考えられる。
【０１００】
高速バスインターフェース５２５は、イーサネットインターフェース５２３とＨＤＭＩ端子５２７との間に挿入される。この高速バスインターフェース５２５は、プロセッサ５１１から供給される送信データを、ＨＤＭＩ端子５２７からＨＤＭＩケーブルを介して相手側の機器に送信する。また、この高速バスインターフェース５２５は、ＨＤＭＩケーブルからＨＤＭＩ端子５２７を介して相手側の機器から受信された受信データをプロセッサ５１１に供給する。
【０１０１】
コンテンツ記録時には、（図示しない）デジタルチューナを介して、イーサネットインターフェース５２３を介して、または、高速バスインターフェース５２５を介して、記録すべきコンテンツデータが取得される。このコンテンツデータは、ＳＡＴＡインターフェース５２１に入力され、ＢＤドライブ５２２によってＢＤに記録される。このコンテンツデータは、ＳＡＴＡインターフェース５２１に接続された、（図示しない）ＨＤＤ（ハードディスクドライブ）に記録されてもよい。
【０１０２】
コンテンツ再生時には、ＢＤドライブ５２２によりＢＤから再生されたコンテンツデータ（ＭＰＥＧストリーム）は、ＳＡＴＡインターフェース５２１を介してＭＰＥＧデコーダ５３３に供給される。ＭＰＥＧデコーダ５３３では、再生されたコンテンツデータに対してデコード処理が行われ、ベースバンドの画像および音声のデータが得られる。画像データは、グラフィック生成回路５４２を通じて映像出力端子５３８に出力される。また、音声データは、音声出力端子５３９に出力される。
【０１０３】
また、コンテンツ再生時には、ＭＰＥＧデコーダ５３３で得られた画像データが、ユーザ操作に応じて、グラフィック生成回路５４２を通じてパネル駆動回路５４３に供給され、表示パネル５４４に再生画像が表示される。また、ＭＰＥＧデコーダ５３３で得られた音声データが、ユーザ操作に応じて、（図示しない）スピーカに供給され、再生画像に対応した音声が出力される。
【０１０４】
また、このコンテンツ再生時に、ＭＰＥＧデコーダ５３３で得られた画像および音声のデータをＨＤＭＩのＴＭＤＳチャンネルで送信する場合には、これら画像および音声のデータは、ＨＤＭＩ送信部５２６に供給されてパッキングされる。そして、このＨＤＭＩ送信部５２６からＨＤＭＩ端子５２７に、画像および音声のデータが出力される。
【０１０５】
また、コンテンツ再生時に、ＢＤドライブ５２２で再生されたコンテンツデータをネットワークに送出する際には、このコンテンツデータは、イーサネットインターフェース５２３を介して、ネットワーク端子５２４に出力される。同様に、コンテンツ再生時に、ＢＤドライブ５２２で再生されたコンテンツデータをＨＤＭＩケーブルの双方向通信路に送出する際には、そのコンテンツデータは、高速バスインターフェース５２５を介して、ＨＤＭＩ端子５２７に出力される。ここで、画像データを出力する前に、著作権保護技術、例えばＨＤＣＰ、ＤＴＣＰ、ＤＴＣＰ＋などを用いて暗号化してから伝送してもよい。
【０１０６】
図１３は、本技術の実施の形態におけるテレビ受信機６００の構成例を示す図である。このテレビ受信機６００は、プロセッサ６１１と、フラッシュＲＯＭ６１２と、ＳＤＲＡＭ６１３と、表示制御部６１４とを備える。また、このテレビ受信機６００は、イーサネットインターフェース６２３と、ネットワーク端子６２４とを備える。また、このテレビ受信機６００は、高速バスインターフェース６２５と、ＨＤＭＩ受信部６２６と、ＨＤＭＩ端子６２７と、リモコン受信部６２９とを備える。また、このテレビ受信機６００は、アンテナ端子６３１と、デジタルチューナ６３２と、ＭＰＥＧデコーダ６３３とを備える。また、このテレビ受信機６００は、映像信号処理回路６４１と、グラフィック生成回路６４２と、パネル駆動回路６４３と、表示パネル６４４とを備える。また、このテレビ受信機６００は、音声信号処理回路６５１と、音声増幅回路６５３と、スピーカ６５４とを備える。プロセッサ６１１、フラッシュＲＯＭ６１２、ＳＤＲＡＭ６１３、表示制御部６１４、イーサネットインターフェース６２３、高速バスインターフェース６２５、および、ＭＰＥＧデコーダ６３３は、バス６１０によって相互に接続される。
【０１０７】
プロセッサ６１１は、テレビ受信機６００の全体を制御するものである。フラッシュＲＯＭ６１２は、プロセッサ６１１の動作に必要なプログラム等を記憶するメモリである。ＳＤＲＡＭ６１３は、プロセッサ６１１の動作に必要なデータ等を記憶するメモリである。表示制御部６１４は、表示パネル６４４における表示に必要な制御を行うものである。
【０１０８】
イーサネットインターフェース６２３は、イーサネットを接続するためのインターフェースである。ネットワーク端子６２４は、イーサネットを接続するための端子である。高速バスインターフェース６２５は、ＨＤＭＩ規格のＵｔｉｌｉｔｙライン３６２およびＨＰＤライン３６３である。ＨＤＭＩ受信部６２６は、ＨＤＭＩ規格のインターフェースに対する送信回路である。ＨＤＭＩ端子６２７は、ＨＤＭＩ規格に整合する端子である。
【０１０９】
リモコン受信部６２９は、ユーザの操作する（図示しない）リモコンからの信号を受信するものである。
【０１１０】
アンテナ端子６３１は、（図示しない）受信アンテナによって受信されたテレビ放送信号を入力する端子である。デジタルチューナ６３２は、アンテナ端子６３１に入力されたテレビ放送信号を処理して、ユーザの選択チャネルに対応した所定のトランスポートストリームから、パーシャルＴＳを抽出するものである。
【０１１１】
ＭＰＥＧデコーダ６３３は、ＭＰＥＧ規格に準ずる信号を復号するデコーダである。ＭＰＥＧデコーダ６３３は、デジタルチューナ６３２において得られる映像データのＴＳパケットにより構成される映像ＰＥＳパケットに対してデコード処理を行って画像データを得る。また、ＭＰＥＧデコーダ６３３は、デジタルチューナ６３２で得られる音声データのＴＳパケットにより構成される音声ＰＥＳパケットに対してデコード処理を行って音声データを得る。
【０１１２】
映像信号処理回路６４１およびグラフィック生成回路６４２は、ＭＰＥＧデコーダ６３３において得られた画像データ、または、ＨＤＭＩ受信部６２６において受信された画像データに対して必要に応じて信号処理を行うものである。この信号処理としては、例えば、スケーリング処理（解像度変換処理）、グラフィックスデータの重畳処理、ＷＣＧ画像のガンマ補正等が想定される。パネル駆動回路６４３は、グラフィック生成回路６４２から出力される映像（画像）データに基づいて、表示パネル６４４を駆動するための回路である。表示パネル６４４は、映像を表示するパネルである。この表示パネル６４４は、例えば、ＬＣＤ（Liquid Crystal Display）、ＰＤＰ（Plasma Display Panel）、有機ＥＬ（Organic Electro-Luminescence）パネル等によって構成され得る。
【０１１３】
なお、この実施の形態では、プロセッサ６１１の他に表示制御部６１４を有する例を示しているが、表示パネル６４４における表示をプロセッサ６１１が直接制御するようにしてもよい。また、プロセッサ６１１と表示制御部６１４は、１つのチップにより構成されてもよく、また、複数コアであってもよい。
【０１１４】
音声信号処理回路６５１は、ＭＰＥＧデコーダ６３３において得られた音声データに対してＤ／Ａ変換等の必要な処理を行うものである。音声増幅回路６５３は、音声信号処理回路６５１から出力される音声信号を増幅してスピーカ６５４に供給するものである。なお、スピーカ６５４は、モノラルでもステレオでもよい。また、スピーカ６５４は、１つでもよく、２つ以上でもよい。また、スピーカ６５４は、イヤホン、ヘッドホンでもよい。また、スピーカ６５４は、２．１チャネルや、５．１チャネルなどに対応するものであってもよい。また、スピーカ６５４は、テレビ受信機６００と無線で接続してもよい。また、スピーカ６５４は、他機器であってもよい。
【０１１５】
アンテナ端子６３１に入力されたテレビ放送信号は、デジタルチューナ６３２に供給される。このデジタルチューナ６３２では、テレビ放送信号を処理して、ユーザの選択チャネルに対応した所定のトランスポートストリームが出力される。そして、トランスポートストリームから、パーシャルＴＳ（映像データのＴＳパケット、音声データのＴＳパケット）が抽出され、このパーシャルＴＳはＭＰＥＧデコーダ６３３に供給される。
【０１１６】
ＭＰＥＧデコーダ６３３では、映像データのＴＳパケットにより構成される映像ＰＥＳパケットに対してデコード処理が行われて映像データが得られる。この映像データは、映像信号処理回路６４１およびグラフィック生成回路６４２において、必要に応じて、スケーリング処理（解像度変換処理）、グラフィックスデータの重畳処理等が行われた後に、パネル駆動回路６４３に供給される。そのため、表示パネル６４４には、ユーザの選択チャネルに対応した画像が表示される。
【０１１７】
また、ＭＰＥＧデコーダ６３３では、音声データのＴＳパケットにより構成される音声ＰＥＳパケットに対してデコード処理が行われて音声データが得られる。この音声データは、音声信号処理回路６５１においてＤ／Ａ変換等の必要な処理が行われ、さらに、音声増幅回路６５３で増幅された後に、スピーカ６５４に供給される。そのため、スピーカ６５４から、ユーザの選択チャネルに対応した音声が出力される。
【０１１８】
また、ネットワーク端子６２４からイーサネットインターフェース６２３に供給され、または、ＨＤＭＩ端子６２７から高速バスインターフェース６２５を介して供給されるコンテンツデータ（画像データ、音声データ）は、ＭＰＥＧデコーダ６３３に供給される。それ以降は、上述のテレビ放送信号の受信時と同様の動作となり、表示パネル６４４に画像が表示され、スピーカ６５４から音声が出力される。
【０１１９】
また、ＨＤＭＩ受信部６２６では、ＨＤＭＩ端子６２７にＨＤＭＩケーブルを介して接続されているディスクプレイヤ５００から送信される画像データおよび音声データが取得される。画像データは、映像信号処理回路６４１に供給される。また、音声データは、直接、音声信号処理回路６５１に供給される。それ以降は、上述のテレビ放送信号の受信時と同様の動作となり、表示パネル６４４に画像が表示され、スピーカ６５４から音声が出力される。
【０１２０】
図１４は、本技術の実施の形態におけるデジタルカメラ７００の構成例を示す図である。このデジタルカメラ７００は、システム制御プロセッサ７１１と、フラッシュＲＯＭ７１２と、ＳＤＲＡＭ７１３と、表示制御部７１４とを備える。また、このデジタルカメラ７００は、高速バスインターフェース７２５と、ＨＤＭＩ送信部７２６と、ＨＤＭＩ端子７２７と、ユーザ操作部７２８とを備える。また、このデジタルカメラ７００は、グラフィック生成回路７４２と、パネル駆動回路７４３と、表示パネル７４４とを備える。また、このデジタルカメラ７００は、イメージャ７５１と、イメージャドライバ７５２と、カメラ制御部７５３とを備える。また、このデジタルカメラ７００は、撮像信号処理回路７５４と、マイクロフォン７５５と、音声信号処理回路７５６と、静止画像信号処理回路７５７と、動画像信号処理回路７５８と、記録再生部７５９と、メモリカード７６０とを備える。
【０１２１】
システム制御プロセッサ７１１は、デジタルカメラ７００の全体を制御するものである。フラッシュＲＯＭ７１２は、システム制御プロセッサ７１１の動作に必要なプログラム等を記憶するメモリである。ＳＤＲＡＭ７１３は、システム制御プロセッサ７１１の動作に必要なデータ等を記憶するメモリである。表示制御部７１４は、表示パネル７４４における表示に必要な制御を行うものである。
【０１２２】
高速バスインターフェース７２５は、ＨＤＭＩ規格のＵｔｉｌｉｔｙライン３６２およびＨＰＤライン３６３である。ＨＤＭＩ送信部７２６は、ＨＤＭＩ規格のインターフェースに対する送信回路である。ＨＤＭＩ端子７２７は、ＨＤＭＩ規格に整合する端子である。
【０１２３】
ユーザ操作部７２８は、ユーザからの操作を受け付けるものである。このユーザ操作部７２８は、例えば、スイッチ、ホイール、近接／タッチにより指示入力を行うタッチパネル部、マウス、キーボード、カメラで指示入力を検出するジェスチャ入力部、音声により指示入力を行う音声入力部、さらにはリモートコントロールなどであってもよい。システム制御プロセッサ７１１は、ユーザ操作部７２８の操作状態を判断し、デジタルカメラ７００の動作を制御する。ユーザは、ユーザ操作部７２８により、撮像（記録）操作、再生操作の他に、各種付加情報の入力操作等を行うことができる。
【０１２４】
グラフィック生成回路７４２は、表示パネル７４４に表示するためのグラフィック画像を生成するものである。パネル駆動回路７４３は、表示パネル７４４を駆動するための回路である。表示パネル７４４は、映像を表示するパネルである。
【０１２５】
イメージャ７５１は、受光した光信号を電気信号に変換する光電変換素子である。イメージャドライバ７５２は、イメージャ７５１を駆動するドライバである。カメラ制御部７５３は、イメージャドライバ７５２および撮像信号処理回路７５４を制御するものである。撮像信号処理回路７５４は、イメージャ７５１から供給された電気信号を撮像信号として信号処理を行うものである。
【０１２６】
マイクロフォン７５５は、周囲の音声を変換して音声信号を生成するものである。
音声信号処理回路７５６は、マイクロフォン７５５によって生成された音声信号について信号処理を行うものである。
【０１２７】
静止画像信号処理回路７５７は、撮像信号処理回路７５４から供給された静止画像信号について信号処理を行うものである。動画像信号処理回路７５８は、撮像信号処理回路７５４および音声信号処理回路７５６から供給された動画像信号について信号処理を行うものである。
【０１２８】
記録再生部７５９は、メモリカード７６０やフラッシュＲＯＭ７１２などにアクセスして、静止画像データまたは動画像データを読み書きするものである。メモリカード７６０は、静止画像データまたは動画像データを記録する記録媒体である。
【０１２９】
イメージャ７５１において得られた撮像信号は、撮像信号処理回路７５４に供給されて処理され、この撮像信号処理回路７５４からは被写体に対応した画像データ（撮像画像データ）が得られる。静止画撮像時には、静止画像信号処理回路７５７では、撮像信号処理回路７５４から出力される画像データに対して、圧縮符号化処理等が施されて、静止画像データが生成される。この静止画像データは、記録再生部７５９により、メモリカード７６０等に記録される。
【０１３０】
また、動画撮像時には、動画像信号処理回路７５８では、撮像信号処理回路７５４から出力される画像データに対して、音声信号処理回路７５６から出力される音声データとともに、記録メディアフォーマットに準じた圧縮符号化等の処理が施され、音声データが付加された動画像データが生成される。この動画像データは、記録再生部７５９により、メモリカード７６０等に記録される。
【０１３１】
静止画像の再生時には、メモリカード７６０等から静止画像データが読み出され、静止画像信号処理回路７５７で復号化等の処理が施されて再生画像データ得られる。この再生画像データはシステム制御プロセッサ７１１および動画像信号処理回路７５８を介してパネル駆動回路７４３に供給され、表示パネル７４４に、静止画像が表示される。
【０１３２】
動画像の再生時には、記録再生部７５９によりメモリカード７６０等から動画像データが読み出され、動画像信号処理回路７５８において復号化等の処理が施されて再生画像データが得られる。そして、再生画像データはパネル駆動回路７４３に供給され、表示パネル７４４に、動画像が表示される。
【０１３３】
メモリカード７６０等に記録されている静止画像データまたは動画像データに係る画像または音声のデータを外部機器（シンク機器）に送信する場合、メモリカード７６０から静止画画像データまたは動画像データが読み出される。そして、読み出された静止画画像データまたは動画像データは、静止画像信号処理回路７５７または動画像信号処理回路７５８に供給され、復号化等の処理が施されて、ベースバンドの画像および音声のデータが得られる。そして、このベースバンドの画像および音声のデータがＨＤＭＩ送信部７２６に供給され、ＨＤＭＩ端子７２７に接続されたＨＤＭＩケーブルに送出される。
【０１３４】
また、撮像信号処理回路７５４または音声信号処理回路７５６から直接出力される静止画像データまたは動画像データに係る画像または音声のデータを外部機器（シンク機器）に送信する場合、これらはＨＤＭＩ送信部７２６に供給される。そして、ＨＤＭＩ端子７２７に接続されたＨＤＭＩケーブルに送出される。
【０１３５】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１３６】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１３７】
なお、本明細書に記載された効果はあくまで例示であって、限定されるものではなく、また、他の効果があってもよい。
【０１３８】
なお、本技術は以下のような構成もとることができる。
（１）クロック成分を含む第１の信号を差動信号として伝送路を介して外部機器に送信する第１の送信部と、
クロック成分を含む第２の信号を同相信号として前記伝送路に重畳して前記外部機器に送信する第２の送信部と、
前記伝送路に含まれる一対の差動伝送路を介して前記外部機器と通信を行って、前記一対の差動伝送路のうち少なくとも一方の直流バイアス電位によって前記外部機器へ自装置の接続状態を通知する状態通知部と
を具備するインターフェース回路。
（２）前記第１の信号は、オーディオ信号である前記（１）に記載のインターフェース回路。
（３）前記第１の信号を暗号化および復号するためのやりとりを前記伝送路とは異なる第２の伝送路を介して前記外部機器と行う通信部をさらに具備する前記（１）または（２）に記載のインターフェース回路。
（４）前記伝送路はＨＤＭＩケーブルを構成するユーティリティラインおよびホットプラグ検出ラインであり、
前記第２の伝送路はＨＤＭＩケーブルを構成するディスプレイデータチャネルである
前記（３）に記載のインターフェース回路。
（５）クロック成分を含む第１の信号を差動信号として伝送路を介して外部機器に送信する第１の送信部と、
前記第１の信号を復号するための第２の信号を同相信号として前記伝送路に重畳して前記外部機器に送信する第２の送信部と、
前記伝送路に含まれる一対の差動伝送路を介して前記外部機器と通信を行って、前記一対の差動伝送路のうち少なくとも一方の直流バイアス電位によって前記外部機器へ自装置の接続状態を通知する状態通知部と
を具備するインターフェース回路。
（６）前記第１の信号は、オーディオ信号である前記（５）に記載のインターフェース回路。
（７）前記伝送路はＨＤＭＩケーブルを構成するユーティリティラインおよびホットプラグ検出ラインである前記（５）または（６）に記載のインターフェース回路。
（８）第１の信号を差動信号として伝送路を介して外部機器に送信する第１の送信部と、
前記第１の信号のクロック成分を含む第２の信号を同相信号として前記伝送路に重畳して前記外部機器に送信する第２の送信部と、
前記伝送路に含まれる一対の差動伝送路を介して前記外部機器と通信を行って、前記一対の差動伝送路のうち少なくとも一方の直流バイアス電位によって前記外部機器へ自装置の接続状態を通知する状態通知部と
を具備するインターフェース回路。
（９）前記第１の信号は、オーディオ信号である前記（８）に記載のインターフェース回路。
（１０）前記伝送路はＨＤＭＩケーブルを構成するユーティリティラインおよびホットプラグ検出ラインである前記（８）または（９）に記載のインターフェース回路。
（１１）外部機器から伝送路を介して受信した差動信号からクロック成分を含む第１の信号を抽出する第１の受信部と、
前記外部機器から前記伝送路を介して受信した同相信号からクロック成分を含む第２の信号を抽出する第２の受信部と、
前記伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と
を具備するインターフェース回路。
（１２）前記第１の信号は、オーディオ信号である前記（１１）に記載のインターフェース回路。
（１３）前記第１の信号を暗号化および復号するためのやりとりを前記伝送路とは異なる第２の伝送路を介して前記外部機器と行う通信部をさらに具備する前記（１１）または（１２）に記載のインターフェース回路。
（１４）前記伝送路はＨＤＭＩケーブルを構成するユーティリティラインおよびホットプラグ検出ラインであり、
前記第２の伝送路はＨＤＭＩケーブルを構成するディスプレイデータチャネルである
前記（１１）から（１３）のいずれかに記載のインターフェース回路。
（１５）外部機器から伝送路を介して受信した差動信号からクロック成分を含む第１の信号を抽出する第１の受信部と、
前記外部機器から前記伝送路を介して受信した同相信号から前記第１の信号を復号するための第２の信号を抽出する第２の受信部と、
前記伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と
を具備するインターフェース回路。
（１６）前記第１の信号は、オーディオ信号である前記（１５）に記載のインターフェース回路。
（１７）前記伝送路はＨＤＭＩケーブルを構成するユーティリティラインおよびホットプラグ検出ラインである前記（１５）または（１６）に記載のインターフェース回路。
（１８）外部機器から伝送路を介して受信した差動信号から第１の信号を抽出する第１の受信部と、
前記外部機器から前記伝送路を介して受信した同相信号から前記第１の信号のクロック成分を含む第２の信号を抽出する第２の受信部と、
前記伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と
を具備するインターフェース回路。
（１９）前記第１の信号は、オーディオ信号である前記（１８）に記載のインターフェース回路。
（２０）前記伝送路はＨＤＭＩケーブルを構成するユーティリティラインおよびホットプラグ検出ラインである前記（１８）または（１９）に記載のインターフェース回路。
（２１）第１のインターフェース回路と第２のインターフェース回路とを伝送路を介して接続した情報処理システムであって、
前記第１のインターフェース回路は、クロック成分を含む第１の信号を差動信号として前記伝送路を介して前記第２のインターフェース回路に送信する第１の送信部と、クロック成分を含む第２の信号を同相信号として前記伝送路に重畳して前記第２のインターフェース回路に送信する第２の送信部と、前記伝送路に含まれる一対の差動伝送路を介して前記第２のインターフェース回路と通信を行って、前記一対の差動伝送路のうち少なくとも一方の直流バイアス電位によって前記第２のインターフェース回路へ前記第１のインターフェース回路の接続状態を通知する状態通知部とを備え、
前記第２のインターフェース回路は、前記第１のインターフェース回路から前記伝送路を介して受信した差動信号からクロック成分を含む第１の信号を抽出する第１の受信部と、前記第１のインターフェース回路から前記伝送路を介して受信した同相信号からクロック成分を含む第２の信号を抽出する第２の受信部と、前記伝送路に含まれる一対の差動伝送路を介して前記第１のインターフェース回路と通信を行って、前記一対の差動伝送路のうち少なくとも一方の直流バイアス電位によって前記第１のインターフェース回路からの接続状態の通知を受ける状態受領部とを備える
情報処理システム。
【符号の説明】
【０１３９】
１０  送信機
１１  送信部
１２  暗号化部
１３、２３  通信部
１４、２４  認証／鍵交換部
２０  受信機
２１  受信部
２２  復号化部
１００  ソース機器
１０１  トランスミッタ
１１０  シンク機種検出回路
１２０  プラグ接続検出回路
１４０  ソース側受信回路
１６０  同相信号受信回路
１７０  差動信号受信回路
２００  シンク機器
２０１  レシーバ
２１０  ソース機種検出回路
２２０  プラグ接続伝達回路
２５０  シンク側送信回路
２６０  同相信号送信回路
２７０  差動信号送信回路
３００  ケーブル
３１０、３２０、３３０  ＴＭＤＳチャンネル
３４０  ＴＭＤＳクロックチャンネル
３５０  ディスプレイデータチャンネル（ＤＤＣ）
３６１  ＣＥＣライン
３６２  Ｕｔｉｌｉｔｙライン
３６３  ＨＰＤ（Hot Plug Detect）ライン
５００  ディスクプレイヤ
６００  テレビ受信機
７００  デジタルカメラ
【図１】
2019126074.tif 000003
【図２】
2019126074.tif 000004
【図３】
2019126074.tif 000005
【図４】
2019126074.tif 000006
【図５】
2019126074.tif 000007
【図６】
2019126074.tif 000008
【図７】
2019126074.tif 000009
【図８】
2019126074.tif 000010
【図９】
2019126074.tif 000011
【図１０】
2019126074.tif 000012
【図１１】
2019126074.tif 000013
【図１２】
2019126074.tif 000014
【図１３】
2019126074.tif 000015
【図１４】
2019126074.tif 000016
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
外部機器から第１の伝送路を介して受信した差動信号からクロック成分を含む第１の信号を抽出する第１の受信部と、
前記外部機器から前記第１の伝送路を介して受信した同相信号からクロック成分を含む第２の信号を抽出する第２の受信部と、
前記第１の伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と、
前記第１の信号のためのやりとりを、前記第１の伝送路とは異なる第２の伝送路および前記第２の伝送路に接続する当該インターフェース回路のＤＤＣレジスタを介して前記外部機器と行う通信部と
を具備し、
前記第１の伝送路はＨＤＭＩケーブルを構成するユーティリティラインおよびホットプラグ検出ラインであり、
前記第２の伝送路はＨＤＭＩケーブルを構成するディスプレイデータチャネルである
インターフェース回路。
【請求項２】
前記第１の信号は、オーディオ信号である請求項１記載のインターフェース回路。
【請求項３】
外部機器から第１の伝送路を介して受信した差動信号から第１の信号を抽出する第１の受信部と、
前記外部機器から前記第１の伝送路を介して受信した同相信号から前記第１の信号のクロック成分を含む第２の信号を抽出する第２の受信部と、
前記第１の伝送路に含まれる一対の差動伝送路を介して前記外部機器と通信を行って、前記一対の差動伝送路のうち少なくとも一方の直流バイアス電位によって前記外部機器からの接続状態の通知を受ける状態受領部と、
前記第１の信号のためのやりとりを、前記第１の伝送路とは異なる第２の伝送路および前記第２の伝送路に接続する当該インターフェース回路のＤＤＣレジスタを介して前記外部機器と行う通信部と
を具備し、
前記第１の伝送路はＨＤＭＩケーブルを構成するユーティリティラインおよびホットプラグ検出ラインであり、
前記第２の伝送路はＨＤＭＩケーブルを構成するディスプレイデータチャネルである
インターフェース回路。
【請求項４】
前記第１の信号は、オーディオ信号である請求項３記載のインターフェース回路。
【請求項５】
第１のインターフェース回路と第２のインターフェース回路とを第１および第２の伝送路を介して接続した情報処理システムであって、
前記第１のインターフェース回路は、クロック成分を含む第１の信号を差動信号として前記第１の伝送路を介して前記第２のインターフェース回路に送信する第１の送信部と、クロック成分を含む第２の信号を同相信号として前記第１の伝送路に重畳して前記第２のインターフェース回路に送信する第２の送信部と、前記第１の伝送路に含まれる一対の差動伝送路を介して前記第２のインターフェース回路と通信を行って、前記一対の差動伝送路のうち少なくとも一方の直流バイアス電位によって前記第２のインターフェース回路へ前記第１のインターフェース回路の接続状態を通知する状態通知部と、前記第１の信号のためのやりとりを、前記第１の伝送路とは異なる前記第２の伝送路および前記第２の伝送路に接続する前記第１のインターフェース回路のＤＤＣレジスタを介して前記第２のインターフェース回路と行う第１の通信部とを備え、
前記第２のインターフェース回路は、前記第１のインターフェース回路から前記第１の伝送路を介して受信した差動信号からクロック成分を含む第１の信号を抽出する第１の受信部と、前記第１のインターフェース回路から前記第１の伝送路を介して受信した同相信号からクロック成分を含む第２の信号を抽出する第２の受信部と、前記第１の伝送路に含まれる一対の差動伝送路を介して前記第１のインターフェース回路と通信を行って、前記一対の差動伝送路のうち少なくとも一方の直流バイアス電位によって前記第１のインターフェース回路からの接続状態の通知を受ける状態受領部と、前記第１の信号のためのやりとりを、前記第２の伝送路および前記第２の伝送路に接続する前記第２のインターフェース回路のＤＤＣレジスタを介して前記第２のインターフェース回路と行う第２の通信部とを備え、
前記第１の伝送路はＨＤＭＩケーブルを構成するユーティリティラインおよびホットプラグ検出ラインであり、
前記第２の伝送路はＨＤＭＩケーブルを構成するディスプレイデータチャネルである
情報処理システム。
【請求項６】
第１の受信部が、外部機器から第１の伝送路を介して受信した差動信号からクロック成分を含む第１の信号を抽出する手順と、
第２の受信部が、前記外部機器から前記第１の伝送路を介して受信した同相信号からクロック成分を含む第２の信号を抽出する手順と、
状態受領部が、前記第１の伝送路に含まれる一対の差動伝送路を介して前記外部機器と通信を行って、前記一対の差動伝送路のうち少なくとも一方の直流バイアス電位によって前記外部機器からの接続状態の通知を受ける手順と、
通信部が、前記第１の信号のためのやりとりを、前記第１の伝送路とは異なる第２の伝送路および前記第２の伝送路に接続する当該インターフェース回路のＤＤＣレジスタを介して前記外部機器と行う手順と
を具備し、
前記第１の伝送路はＨＤＭＩケーブルを構成するユーティリティラインおよびホットプラグ検出ラインであり、
前記第２の伝送路はＨＤＭＩケーブルを構成するディスプレイデータチャネルである
インターフェース回路の通信方法。
【請求項７】
第１の受信部が、外部機器から第１の伝送路を介して受信した差動信号から第１の信号を抽出する手順と、
第２の受信部が、前記外部機器から前記第１の伝送路を介して受信した同相信号から前記第１の信号のクロック成分を含む第２の信号を抽出する手順と、
状態受領部が、前記第１の伝送路に含まれる一対の差動伝送路を介して前記外部機器と通信を行って、前記一対の差動伝送路のうち少なくとも一方の直流バイアス電位によって前記外部機器からの接続状態の通知を受ける手順と、
通信部が、前記第１の信号のためのやりとりを、前記第１の伝送路とは異なる第２の伝送路および前記第２の伝送路に接続する当該インターフェース回路のＤＤＣレジスタを介して前記外部機器と行う手順と
を具備し、
前記第１の伝送路はＨＤＭＩケーブルを構成するユーティリティラインおよびホットプラグ検出ラインであり、
前記第２の伝送路はＨＤＭＩケーブルを構成するディスプレイデータチャネルである
インターフェース回路の通信方法。
【請求項８】
第１のインターフェース回路と第２のインターフェース回路とを第１および第２の伝送路を介して接続した情報処理システムの通信方法であって、
前記第１のインターフェース回路の第１の送信部が、クロック成分を含む第１の信号を差動信号として前記第１の伝送路を介して前記第２のインターフェース回路に送信する手順と、
前記第１のインターフェース回路の第２の送信部が、クロック成分を含む第２の信号を同相信号として前記第１の伝送路に重畳して前記第２のインターフェース回路に送信する手順と、
前記第１のインターフェース回路の状態通知部が、前記第１の伝送路に含まれる一対の差動伝送路を介して前記第２のインターフェース回路と通信を行って、前記一対の差動伝送路のうち少なくとも一方の直流バイアス電位によって前記第２のインターフェース回路へ前記第１のインターフェース回路の接続状態を通知する手順と、
前記第１のインターフェース回路の第１の通信部が、前記第１の信号のためのやりとりを、前記第１の伝送路とは異なる前記第２の伝送路および前記第２の伝送路に接続する前記第１のインターフェース回路のＤＤＣレジスタを介して前記第２のインターフェース回路と行う手順と、
前記第２のインターフェース回路の第１の受信部が、前記第２のインターフェース回路は、前記第１のインターフェース回路から前記第１の伝送路を介して受信した差動信号からクロック成分を含む第１の信号を抽出する手順と、
前記第２のインターフェース回路の第２の受信部が、前記第１のインターフェース回路から前記第１の伝送路を介して受信した同相信号からクロック成分を含む第２の信号を抽出する手順と、
前記第２のインターフェース回路の状態受領部が、前記第１の伝送路に含まれる一対の差動伝送路を介して前記第１のインターフェース回路と通信を行って、前記一対の差動伝送路のうち少なくとも一方の直流バイアス電位によって前記第１のインターフェース回路からの接続状態の通知を受ける手順と、
前記第２のインターフェース回路の第２の通信部が、前記第１の信号のためのやりとりを、前記第２の伝送路および前記第２の伝送路に接続する前記第２のインターフェース回路のＤＤＣレジスタを介して前記第２のインターフェース回路と行う手順とを備え、
前記第１の伝送路はＨＤＭＩケーブルを構成するユーティリティラインおよびホットプラグ検出ラインであり、
前記第２の伝送路はＨＤＭＩケーブルを構成するディスプレイデータチャネルである
情報処理システムの通信方法。